(57)【要約】【課題】  左右に分割された苗植付け装置を作業状態から格納状態へ折り込む作動に伴って施肥用の供給ホースがその途中で分離され、格納状態から作業状態への切換えに伴って供給ホースが接続されるように構成した施肥装置付き田植機において、分割された供給ホース部分の分割端が邪魔になるようなことなく苗植付け装置を円滑に姿勢切換えすることができるものでありながら、供給ホースを肥料流動に好適な状態に配備できるようにする。【解決手段】  供給ホース２２の前後の分割端を支持する前後のホース支持部６２，６７の一方が、苗植付け装置３の作業状態から格納状態への切換えに連動してホース接続位置から退避移動し、格納状態から作業状態への切換えに連動してホース接続位置に復帰移動するよう構成してある。【選択図】        図１６
2005176669.tif 000002
【特許請求の範囲】
【請求項１】
走行機体の後部に苗植付け装置を連結するとともに、走行機体側から送り出された肥料を、前記苗植付け装置の施肥箇所まで供給ホースを介して搬送するように構成し、かつ、前記苗植付け装置を、苗のせ台が全幅に展開された作業状態と、苗のせ台が横幅狭く折込まれた格納状態とに切換え可能に構成し、前記供給ホースをその長手方向中間部位で分離可能に構成し、前記供給ホースの分割部位より機体側に位置する前側ホース部分の分割端をホース支持部材に支持させるとともに、前記供給ホースの分割部位より苗植付け装置側に位置する後側ホース部分の分割端を苗植付け装置に備えたホース支持部材に支持させ、前記苗植付け装置の前記作業状態から前記格納状態への切換えに伴って前記供給ホースが分離され、前記格納状態から前記作業状態への切換えに伴って前記供給ホースが接続されるように構成した施肥装置付き田植機において、
前記供給ホースの前後の分割端を支持する前後のホース支持部材の内の少なくとも一方が、前記苗植付け装置の前記作業状態から前記格納状態への切換えに連動してホース接続位置から退避移動し、前記格納状態から前記作業状態への切換えに連動してホース接続位置に復帰移動するよう構成してあることを特徴とする施肥装置付き田植機。
【請求項２】
前記供給ホースの分割作動に連動して供給ホースの分割端を塞ぎ、供給ホースの接続作動に連動して分割端を開放する蓋体を備えてあることを特徴とする請求項１記載の施肥装置付き田植機。
【請求項３】
前記供給ホースが上下に傾斜する部分に前記分割部位を設定し、斜め上向きに開口する片方の分割端にのみ前記蓋体を備えてあることを特徴とする請求項２記載の施肥装置付き田植機。
【請求項４】
前記蓋体を閉じ付勢状態で片方の分割端に装備し、相対接近作動する相手分割端のホース支持部材との接当によって前記蓋体が付勢力に抗して押し上げ開放されるように構成してあることを特徴とする請求項３記載の施肥装置付き田植機。
【請求項５】
斜め下向きに開口する分割端を、分離作動に連動して更に下方に向けて姿勢変更するようこの分割端のホース支持部材を下方に揺動付勢してあることを特徴とする請求項３または４記載の施肥装置付き田植機。
【請求項６】
前記前側ホース部分の分割端を斜め下向きに開口し、前記後側ホース部分を斜め上向きに開口してあることを特徴とする請求項３〜５のいずれか一項に記載の施肥装置付き田植機。
【請求項７】
前記両分割端をホース長手方向から係合接続可能に構成するとともに、両分割端の前後方向からの接近作動に連動し、斜め下向きに開口する片方の分割端を首振り変位させて相手側の分割端に係合させるカム手段を備えてあることを特徴とする請求項３〜６のいずれか一項に記載の施肥装置付き田植機。
【発明の詳細な説明】
【技術分野】
【０００１】
本発明は、肥料を苗植え付けと同時に圃場に埋設してゆくよう構成した施肥装置付き田植機に係り、特には、走行機体の後部に苗植付け装置を連結するとともに、走行機体に装備したホッパやタンクから繰出された肥料を、前記苗植付け装置の施肥箇所まで供給ホースを介して搬送するように構成し、かつ、前記苗植付け装置を、苗のせ台が全幅に展開された作業状態と、苗のせ台が横幅狭く格納された非作業状態とに切換え可能に構成した施肥装置付き田植機に関する。
【背景技術】
【０００２】
上記構成の施肥装置付き田植機としては、苗植付け装置が幅広の作業状態から幅狭の非作業状態に切換え操作されるのに連動して、走行機体と苗植付け装置とに亘って配備された供給ホースをその途中において分離され、苗植付け装置が非作業状態から作業状態に復帰操作されるのに連動して、分割された供給ホースが再び接続されるように構成したものが提案されている（例えば、特許文献１参照）。
【特許文献１】特開２００２−２３８３１６号公報
【発明の開示】
【発明が解決しようとする課題】
【０００３】
上記構成においては、苗植付け装置の作業状態から非作業状態への切換え操作、および、非作業状態から作業状態への復帰操作に連動して自動的に供給ホースが分離および接続されるので、供給ホースの分離あるいは接続するための専用の操作を特に必要とすることがなく、取扱い性に優れたものとなっているが、苗植付け装置を姿勢切換えする際に分割された供給ホースが邪魔になることのないようにホース分割位置を設定する必要があり、このために、供給ホースの配置位置に制約が加えられ、ホース長さが長くなったり、供給ホースの屈曲が大きくなって肥料流動に悪影響がでるおそれがあった。
【０００４】
また、分離された供給ホースの接続端が開放されたままであるために、この接続端から洗浄水や雨水が入り込むおそれがあり、これを防止するために別途キャップを装着する操作が必要となるものであった。
【０００５】
本発明は、このような点に着目してなされたものであって、分割された供給ホースが邪魔になるようなことなく苗植付け装置を円滑に姿勢切換えすることができるものでありながら、供給ホースを肥料流動に好適な状態に配備し、かつ、ホース分割位置を任意に設定することができるようにすることを目的としている。
【課題を解決するための手段】
【０００６】
〔第１の発明の構成、作用、および、効果〕
【０００７】
第１の発明は、走行機体の後部に苗植付け装置を連結するとともに、走行機体側から送り出された肥料を、前記苗植付け装置の施肥箇所まで供給ホースを介して搬送するように構成し、かつ、前記苗植付け装置を、苗のせ台が全幅に展開された作業状態と、苗のせ台が横幅狭く折込まれた格納状態とに切換え可能に構成し、前記供給ホースをその長手方向中間部位で分離可能に構成し、前記供給ホースの分割部位より機体側に位置する前側ホース部分の分割端をホース支持部材に支持させるとともに、前記供給ホースの分割部位より苗植付け装置側に位置する後側ホース部分の分割端を苗植付け装置に備えたホース支持部材に支持させ、前記苗植付け装置の前記作業状態から前記格納状態への切換えに伴って前記供給ホースが分離され、前記格納状態から前記作業状態への切換えに伴って前記供給ホースが接続されるように構成した施肥装置付き田植機において、
前記供給ホースの前後の分割端を支持する前後のホース支持部材の内の少なくとも一方が、前記苗植付け装置の前記作業状態から前記格納状態への切換えに連動してホース接続位置から退避移動し、前記格納状態から前記作業状態への切換えに連動してホース接続位置に復帰移動するよう構成してあることを特徴とする。
【０００８】
上記構成によると、苗植付け装置が作業状態から非作業状態へ切換えられるのに伴って供給ホースが自動的に分離されることになるが、この場合、供給ホースの前後の分割端を支持する前後のホース支持部材の内の少なくとも一方がホース接続位置から退避移動し、分離されたホース分割端が苗植付け装置の姿勢切換えの邪魔になることが回避される。
【０００９】
また、苗植付け装置が非作業状態から作業状態への切換えられるのに伴って供給ホースが自動的に接続されることになるが、この場合、退避移動していた分割端がホース接続位置に復帰移動して元の接続状態になる。
【００１０】
従って、第１の発明によると、分割された供給ホースが邪魔になるようなことなく苗植付け装置を円滑に姿勢切換えすることができるものでありながら、供給ホースを肥料流動に好適な状態に配備し、かつ、ホース分割位置を任意に設定することができるようになった。
【００１１】
〔第２の発明の構成、作用、および、効果〕
【００１２】
第２の発明に係る施肥装置付き田植機は、上記第１の発明において、前記供給ホースの分割作動に連動して供給ホースの分割端を塞ぎ、供給ホースの接続作動に連動して分割端を開放する蓋体を備えてあることを特徴とする。
【００１３】
上記構成によると、供給ホースの分割および接続のつど蓋体を装着あるいは取外す操作が不要となり、第１の発明の上記効果をもたらすとともに、取扱い性にも優れたものとなる。
【００１４】
〔第３の発明の構成、作用、および、効果〕
【００１５】
第３の発明に係る施肥装置付き田植機は、上記第２の発明において、前記供給ホースが上下に傾斜する部分に前記分割部位を設定し、斜め上向きに開口する片方の分割端にのみ前記蓋体を備えてあることを特徴とする。
【００１６】
上記構成によると、供給ホースの前後の分割端のうち、斜め下向きに開口する分割端には上方からは水が入らないので特に閉塞する必要はなく、斜め上向きに開口する片方の分割端にのみ蓋体を備えればよい。
【００１７】
従って、第３の発明によると、分割位置を合理的に設定することで、蓋体を自動開閉する構造を片方にだけ備えるだけですみ、第２の発明の上記効果をもたらすとともに、構造の簡素化およびコスト低減に有効となる。
【００１８】
〔第４の発明の構成、作用、および、効果〕
【００１９】
第４の発明に係る施肥装置付き田植機は、上記第３の発明において、前記蓋体を閉じ付勢状態で片方の分割端に装備した前記蓋体を閉じ付勢し、相対接近作動する相手分割端のホース支持部材との接当によって前記蓋体が付勢力に抗して押し上げ開放されるように構成してあることを特徴とする。
【００２０】
上記構成によると、供給ホースが分離作動すると、片方の分割端に装備した蓋体に作用していた相手分割端のホース支持部材が後退移動することで、蓋体は付勢力によって自動的に閉じ作動する。また、供給ホースが接続作動すると、相手分割端のホース支持部材が蓋体をその閉じ付勢力に抗して押し上げ開放し、開放された前後の分割端同士が接続される。
【００２１】
従って、第４の発明によると、相手分割端のホース支持部材を蓋体の強制開放用の操作部材として利用するので、第３の発明の上記効果をもたらすとともに、蓋体の自動開閉構造を簡単安価に構成することができる。
【００２２】
〔第５の発明の構成、作用、および、効果〕
【００２３】
第５の発明に係る施肥装置付き田植機は、上記第３または第４の発明において、斜め下向きに開口する分割端を、分離作動に連動して更に下方に向けて姿勢変更するようこの分割端のホース支持部材を下方に揺動付勢してあることを特徴とする。
【００２４】
上記構成によると、蓋体を備えない斜め下向きの分割端は、ホース分離作動に伴って更に下方に向けて姿勢変更され、一層水が入りにくい姿勢となる。
【００２５】
従って、第５の発明によると、第３または第４の発明の上記効果を期待できるとともに、蓋体のない分割端からの水の浸入を効果的に防止することができる。
【００２６】
〔第６の発明の構成、作用、および、効果〕
【００２７】
第６の発明に係る施肥装置付き田植機は、上記第３〜第５の発明のうちのいずれか一つの発明において、前記前側ホース部分の分割端を斜め下向きに開口し、前記後側ホース部分を斜め上向きに開口してあることを特徴とする。
【００２８】
上記構成によると、苗植付け装置に後方下方に向かう傾斜姿勢で配備された苗のせ台の前側背面に沿って供給ホースを配備し、苗のせ台の前側背面に沿ったホース部分にホース分割位置を設定することで、前側ホース部分の分割端を斜め下向きに開口させることになる。これによると、苗植付け装置を折込み格納した際に、前側ホース部分の分割端が大きく外部に晒されて雨水が降りかかりやすくなるが、斜め下向きに開口すした分割端からの雨水の入り込みはない。また、苗植付け装置を折込み格納した際に斜め上向きに開口する後側ホース部分の分割端には蓋体が必要となるが、この後側ホース部分の分割端は、雨水が降りかかりにくい苗のせ台の陰に配備しやすいものであり、蓋体を備えるにしても厳密に密封する必要はない。
【００２９】
従って、第６の発明によると、蓋体を簡素な覆い程度のものですますことができ、上記第３〜第５の発明のうちのいずれか一つの発明の上記効果を期待できるとともに、防水構造を簡単なもので済ますことができる。
【００３０】
〔第７の発明の構成、作用、および、効果〕
【００３１】
第７の発明に係る施肥装置付き田植機は、上記第３〜第６の発明のうちのいずれか一つの発明において、前記両分割端をホース長手方向から係合接続可能に構成するとともに、両分割端の前後方向からの接近作動に連動し、斜め下向きに開口する片方の分割端を首振り変位させて相手側の分割端に係合させるカム機構を備えてあることを特徴とする。
【００３２】
上記構成によると、供給ホースの分割端は単に突合せ接合されるのではなく、位置合わせ状態で互いに係合されるので、接続状態において分割箇所からの肥料の漏れ出しのない状態での接続が行われる。この場合、ホース分割端が前後方向から接近するだけでは斜め向きの両分割端は開口方向からうまく接合することができないが、斜め下向きに開口する片方の分割端がカム機構によって首振り変位されることで斜め上向きに開口した相手側の分割端に円滑に接合されることになる。
【００３３】
従って、第７の発明によると、供給ホースの上下に傾斜した箇所に分割箇所が設定されるものでありながら、前後方向からの分割端の接近作動によって円滑確実に両分割端を係合状態で接続することができ、第３〜第６の発明のうちのいずれか一つの発明の上記効果が期待できるとともに、分割箇所での肥料洩れ出しや詰まりのない状態で円滑に肥料流動を行わせることができる。
【発明を実施するための最良の形態】
【００３４】
図１に、本発明に係る田植機の全体側面が示されている。この田植機は、走行機体１の後部に備えられた昇降リンク機構２の後端部に１０条植え仕様の苗植付け装置３が前後方向支点Ｘ周りにローリング自在に連結されるとともに、機体後部に施肥装置４が装備された構造となっており、油圧シリンダ５で昇降リンク機構２を上下に駆動揺動することで苗植付け装置３を昇降制御することができるとともに、ローリング駆動機構６によってで苗植付け装置３をローリング制御することが可能となっている。
【００３５】
前記苗植付け装置３は、横長角筒状の主フレーム１１、走行機体１から取り出された作業用動力を受けるフィードケー１２、一定ストロークで左右に往復横移動する苗のせ台１３、この苗のせ台１３の下端を左右移動可能に摺動案内する摺動レール１４、１０条分の回転式植付け機構１５、および、左右に２条分の植付け機構１５を備えた５個の植付けケース１６、田面の植付け箇所を均平整地する４個の整地フロート１７、等を備えている。
【００３６】
また、施肥装置７には、粉粒状の肥料を貯留するホッパ１８、このホッパ１８の下部から定量づつ肥料を各条ごとに繰出す繰出し機構１９、繰り出された肥料を風力搬送する電動ブロワ２０、各整地フロート１７に取付けた各植付け条ごとの作溝器２１、風力搬送される肥料を各作溝器２１まで案内する供給ホース２２、等が備えられており、機体前進に伴って苗植付け位置の横側近くの田面に各作溝器２１で施肥溝が形成され、この施肥溝に肥料が供給されて埋設されるようになっている。
【００３７】
図３に示すように、前記苗植付け装置３は左右の分割植付け装置部分３Ｌ，３Ｒに分割されており、左側の分割植付け装置部分３Ｌに、左側４条分の分割苗のせ台部分１３Ｌ、これの下端を案内する分割摺動レール部分１４Ｌ、左側４条分の植付け機構１５、および、左側２個の整地フロート１７が装備されるとともに、右側の分割植付け装置部分３Ｒに、右側６条分の分割苗のせ台部分１３Ｒ、これの下端を案内する分割摺動レール部分１４Ｒ、右側６条分の植付け機構１５、および、右側２個の整地フロート１７が装備されており、これら左右の分割植付け装置部分３Ｌ，３Ｒを左右に並べて連結した正規の作業姿勢と、図６，図９に示すように、左右の分割植付け装置部分３Ｌ，３Ｒが向かい合わせとなる横幅の狭い格納姿勢とに切換え可能に構成されている。
【００３８】
前記主フレーム１１は左右に分割されており、その左側の主フレーム部分１１Ｌに、左側４条分の分割苗のせ台部分１３Ｌと左側２個の植付けケース１６が備えられるとともに、右側の主フレーム部分１１Ｒに、フィードケース１２、右側６条分の分割苗のせ台部分１３Ｒ、および、右側３個の植付けケース１６がを備えられている。また、前記昇降リンク機構２の後端部にローリング自在に支持された中央フレーム２５の左右張出し部２５ａに、縦向きの支点Ｐ１周りに旋回揺動可能に左右一対の揺動アーム２６Ｌ，２６Ｒが装備されるとともに、各揺動アーム２６Ｌ，２６Ｒの遊端部に左右の前記主フレーム部分１１Ｌ，１１Ｒの中間部位が縦向きの支点Ｐ２周りに回動可能にそれぞれ連結支持されている。
【００３９】
また、前記支点Ｐ１において固定配備した大径のスプロケット２７と、前記支点Ｐ２において主フレーム部分１１Ｌ，１１Ｒに固定された小径のスプロケット２８に亘ってチェーン２９が巻回張設されており、揺動アーム２６Ｌ，２６Ｒが支点Ｐ１周りに旋回作動することに連動して、主フレーム部分１１Ｌ，１１Ｒが各揺動アーム２６Ｌ，２６Ｒの旋回方向と逆方向に増速されて揺動するようになっている。
【００４０】
ここで、左右の分割植付け装置部分３Ｌ，３Ｒを左右に並べて連結した正規の作業姿勢では、図３，図７に示すように、各揺動アーム２６Ｌ，２６Ｒはそれぞれの遊端部が外側に向かう横向き姿勢にあるとともに、各主フレーム部分１１Ｌ，１１Ｒも横向き姿勢にある。そして、この状態から各揺動アーム２６Ｌ，２６Ｒを後方に向けて略９０°旋回させると、これに連動して各主フレーム部分１１Ｌ，１１Ｒは前後方向に向かう姿勢にまで揺動し、左右の分割植付け装置部分３Ｌ，３Ｒが向かい合った図６，図９に示す前記格納姿勢となるのである。
【００４１】
なお、図４に示すように、右側の主フレーム部分１１Ｒに連結されたフィードケース１２の右側方には苗のせ台横送り用のネジ軸３１が備えられており、このネジ軸３１によって右側の分割苗のせ台部分１３Ｒが往復横送り駆動されるとともに、左側の分割苗のせ台部分１３Ｌは、この右側の分割苗のせ台部分１３Ｒに連結されて一体に横移動するようになっている。また、フィードケース１２の左右には苗縦送り駆動軸３２Ｌ，３２Ｒが装備されており、左側の苗縦送り駆動軸３２Ｌで左側４条分の分割苗のせ台部分１３Ｌにおける苗縦送りベルト３３が駆動されるとともに、右側の苗縦送り駆動軸３２Ｒで右側６条分の分割苗のせ台部分１３Ｒにおける苗縦送りベルト３３が駆動されるようになっている。また、左右の苗縦送り駆動軸３２Ｌ，３２Ｒはカップリング部３４を介して分離および連結可能に構成されている。さらに、左側の苗縦送り駆動軸３２Ｌから分岐した動力が伝動軸３５Ｌを介して左側２個の植付けケース１６に軸伝達されるとともに、右側の苗縦送り駆動軸３２Ｒから分岐した動力が伝動軸３５Ｒを介して右側３個の植付けケース１６に軸伝達されて各植付け機構１５が駆動されるようになっている。
【００４２】
図１０中に示すように、前記ローリング駆動機構６は、電動モータ３６によってプーリ３７を正逆に回転することで、このプーリ３７に巻回連結して左右に延出したワイヤ３８を背反的に巻取りおよび繰出すよう構成されており、左右に延出されたワイヤ３８が緩衝用バネ３９を介して苗植付け装置３の左右部位に連結されている。そして、前記電動モータ３７は、苗植付け装置３に装備された図示されていない左右傾斜センサの検出情報に基づいて作動制御され、走行機体１の左右傾斜にかかわらず苗植付け装置３が常に左右水平範囲内に安定維持され、もって、左右の各植付け部位での植付け深さに差異の少ない植付けが行われるようになっている。
【００４３】
また、前記昇降リンク機構２の後端部と左右の分割苗のせ台部分１３Ｌ，１３Ｒとに亘ってローリング復帰用バネ４０Ｌ，４０Ｒが張設されており、苗のせ台１３の往復横移動によって移動方向側のローリング復帰用バネ４０Ｌ，４０Ｒが伸ばされることで、苗のせ台横移動に伴うローリング支点Ｘ周りの重量バランスの崩れを是正する方向の回動力がローリング復帰用バネ４０Ｌ，４０Ｒによってもたらされるようになっている。
【００４４】
左右の分割植付け装置部分３Ｌ，３Ｒを格納姿勢に折込み回動する場合、各部における連結を解除するとともに、左右の分割苗のせ台部分１３Ｌ，１３Ｒが干渉しないように横送り駆動用のネジ軸３１に連動連結されていない左側の分割苗のせ台部分１３Ｌを人為的に横外方に移動させておく。この場合、この分割苗のせ台部分１３Ｌに連結されたローリング復帰用バネ４０Ｌの張力を解除しておく必要があり、そのために、左側のローリング復帰用バネ４０Ｌの一端が連結された操作レバー４１を揺動操作して、図１０中に示す緊張用位置（ｔ）から図１１中に示す弛緩用位置（ｓ）に切換え保持しておく。
【００４５】
上記のようにして格納姿勢にまで折込み回動された左右の分割植付け装置部分３Ｌ，３Ｒをその格納姿勢にロックする構造が以下のように構成されている。
【００４６】
図３に示すように、摺動レール部分１４の左右外端部と植付けケース１６群の後端とを囲むパイプ材からなるガード部４２が左右の主フレーム部分１１Ｌ，１１Ｒの外端部と植付けケース１６とに亘って連結されるとともに、図１２，図１３に示すように、ガード部材２前端部に設けた連結金具４３に縦向きの支点ｂ周りに回動可能にフック部材４４が取り付けられている。このフック部材４４はその支点ｂに備えられたねじりバネ４５によってロック姿勢に回動付勢されており、分割植付け装置部分３Ｌ，３Ｒが格納姿勢まで回動されると、前記中央フレーム２５の左右延出部２５ａに設けられたロックピ４６に自動係合されて、分割植付け装置部分３Ｌ，３Ｒが復帰回動することが阻止される。
【００４７】
この場合、ロックピン４６の近傍には、フック部材４４の頭付き支軸４７を係入支持するＵ形の受け部材４８が固定配備されており、フック部材４４とロックピン４６の係合および支軸４７と受け部材４８との係合によって確実強固なロックが行われるようになっている。
【００４８】
また、フック部材４４には、押し引きロッドからなるロック解除用操作具４９の前端が連結されるとともに、ガード部材４２に設けた植付けケー１６への連結金具５０に前記操作具４９の後部が前後移動可能に挿通支持されるとともに、操作具４９の後端部に屈曲連設した握り部５１がガード部材４２と共握り可能に配備されている。従って、苗植付け装置３を格納姿勢から正規の作業姿勢に復帰回動する場合、ガード部材４２と操作具４９の握り部５１を共握りすることで、操作具４９を引き操作してフック部材４４を係合解除方向に強制回動することでロックを解除することができ、そのままガード部材４２を取っ手として分割植付け装置部分３Ｌ，３Ｒを復帰回動操作することができる。
【００４９】
なお、ガード部材２は左右の分割ガード部分４１Ｌ，４１Ｒに分割されるとともに、その機体内方側端部は突き合わせ配備され、その突き合わせ端の係合部５２によって分割ガード部分４１Ｌ，４１Ｒを連結および分離可能に構成されている。
【００５０】
また、作業姿勢にまで復帰回動された左右の分割植付け装置部分３Ｌ，３Ｒをその作業姿勢にロックする構造が以下のように構成されている。
【００５１】
図１５に示すように、前記中央フレーム２５の左方への延長部２５ａには支点ｃ周りに上下揺動可能にレバー付きのフック部材５４が装着されるとともに、左側の主フレーム部分１１Ｌの後部には前記フック部材５４に係合されるロックピン５５が設けられており、左右の分割植付け装置部分３Ｌ，３Ｒが左右に並べられた状態においてロックレバー５６を後方に揺動操作してフック部材５４をロックピン５５に係合させて後向き水平になるまで揺動することで、主フレーム部分１１Ｌが横向き姿勢で固定される。なお、前記フック部材５４は、強力な係合ロックによっても変形しないように、板材を逆Ｕ形に屈曲した構造となっている。
【００５２】
苗植付け装置３の姿勢切換えに対応できるように前記施肥装置４における供給ホース２２が前後に分割されている。つまり、供給ホース２２は、湾曲頂部よりも後方箇所、つまり、肥料流動方向において後下がりに傾斜している後方寄り箇所において前側ホース部分２２ｆと後側ホース部分２２ｒとに分割され、苗植付け装置３の上記姿勢切り換え作動に連動してこれら前側ホース部分２２ｆと後側ホース部分２２ｒが接続および分離されるようになっており、その詳細な構造を以下に説明する。
【００５３】
図１０，図１６，図１７に示すように、中央フレーム２５の左右延長部２５ａには、横向き支点ｄを介して前後揺動可能に支柱部材６１が立設されるとともに、各支柱部６１の上端部から横外方に向けて延出された支持アーム６１ａに横向き支点ｅ周りに回動可能に板金製のホース支持部材６２が枢支され、このホース支持部材６２に並列支持されたゴム製の接続ブーツ６３に、１０本の供給ホース２２のうちの中央の２本を除く左右各４本の供給ホース２２における前側ホース部分２２ｆの分割端が斜め下向き開口姿勢で連結支持されている。また、中央フレーム２５には、支柱部材６４が立設固定されるとともに、それらの上端部に固着された板金製のホース支持部材６５に、中央２本の供給ホース２２における前側ホース部分２２ｆの分割端がゴム製の接続ブーツ６３を介して斜め下向き開口姿勢で支持されている。
【００５４】
他方、左右側の分割植付け装置部分３Ｌ，３Ｒの前面側には板金製のホース支持部材６７がそれぞれ固定配備されるとともに、各ホース支持部材６７に４個づつ斜め上向き開口姿勢で装着されたゴム製の接続ブーツ６８に、左右４本づつの後側ホース部分２２ｒの分割端が連結支持されている。また、右側の分割植付け装置部分３Ｒにおける前面側の中央寄り箇所には左右に短い別のホース支持部材６９が固定配備されおり、このホース支持部材６９に斜め上向き開口姿勢で装着された２個の接続ブーツ６８に、中央２本の後側ホース部分２２ｒの分割端が連結支持されている。
【００５５】
左右の支柱部材６１は、その基端部に備えられたねじりバネ７１によって前方に揺動付勢されており、分割植付け装置部分３Ｌ，３Ｒが左右に並べて連結された正規の作業姿勢にある時には、バネ付勢力に抗して後方に強制揺動されて略垂直のホース接続位置に保持され、左右の分割植付け装置部分３Ｌ，３Ｒが格納姿勢に向けて折り込み操作されるに連れてバネ付勢力によって前方に揺動され、左右の分割植付け装置部分３Ｌ，３Ｒが格納姿勢まで折り込まれると、支柱部材６１がストッパ７２に受け止め支持された退避位置に保持されるようになっている。
【００５６】
左右の分割植付け装置部分３Ｌ，３Ｒの折込みおよび伸展作動に連動して支柱部材６１を前後に揺動させる構造が以下のように構成されている。つまり、図１７に示すように、左右の支柱部材６１と左右の前記揺動アーム２６Ｌ，２６Ｒの基部近くとに亘って、支点Ｐ１を迂回するようガイドローラ７３を介して巻回配備されたレリーズワイヤ７４が張設されており、分割植付け装置部分３Ｌ，３Ｒが左右に並べて連結された正規の作業姿勢に向けて伸展回動されるに連れて、レリーズワイヤ７４が巻込み引張されることで支柱部材６１が前記ホース接続姿勢にまで強制揺動され、また、左右の分割植付け装置部分３Ｌ，３Ｒが向かい合わせとなる格納姿勢に向けて折込み回動されるに連れてレリーズワイヤ７４が弛められることで支柱部材６１が前記退避姿勢にまで付勢揺動されるようになっている。なお、ワイヤ引張作動によって後方に揺動された支柱部材６１はストッパ７５で受け止め支持されてホース接続姿勢に保持されるとともに、揺動アーム２６Ｌ，２６Ｒの揺動によるワイヤ引張量は支柱部材６１の揺動に必要なストロークより多く設定されており、そのストローク差がワイヤ端と揺動アーム２６Ｌ，２６Ｒとの間に介在されたバネ７６の伸びによって吸収されるようになっている。
【００５７】
図２０に、供給ホース２２の分割部位の詳細が示されている。図示のように、前側ホース部分２２ｆの分割端が支持された接続ブーツ６３の開口端部にはラッパ形の先拡がり部６３ａが備えられるとともに、その内奥には小径の接続筒部６３ｂが突設されている。他方、後側ホース部分２２ｒの分割端が支持された接続ブーツ６８の開口端部には、前記先拡がり部６３ａの先端を受け止めるフランジ部６８ａと、先拡がり部６３ａの内奥に密着するとともに前記接続筒部６３ｂを内嵌する接続筒部６８ｂが備えられており、両接続ブーツ６３，６８が弾性的に接合されることで前後のホース部分２２ｆ，２２ｒが水密状に連通接続されるようになっている。
【００５８】
また、後側ホース部分２２ｒの分割端が支持されたホース支持部材６７には、分離によって上向きに開放された後側ホース部分２２ｒの分割端から雨水などが入るのを防止するための蓋体７７が備えられている。この蓋体７７は横向き支点ｆ周りに上下に揺動可能に支持されるとともに、バネ７８によって下向きに揺動付勢されており、両接続ブーツ６３，６８が接合されている通常の作業状態では、図１８に示すように、前側ホース部分２２ｆの接続ブーツ６３に接当して蓋体７７は強制的に押し上げられているが、苗植付け装置３の折込み格納作動によって前後のホース支持部材６２，６７が離反移動すると、図１９に示すように、蓋体７７が自動的に下方揺動して接続ブーツ６８を上方から覆い隠すようになっている。
【００５９】
また、図１８，図１９，図２１に示すように、後側のホース支持部材６７の左右端部には、前側のホース支持部材６２の左右端から延出された操作ピン６２ａに作用するカム板７９が立設されている。このカム板７９は、前後の分割ホース部分２２ｆ，２２ｒの分割端の接近および離反作動に伴って前側のホース支持部材６２を上下に揺動変位させるものであって、前後の分割ホース部分２２ｆ，２２ｒの分割端が相対接近してくると、前側のホース支持部６２の後端が閉じ姿勢の蓋体７７の下に入り込みながら操作ピン６２ａがカム板７９の上端カム面に乗りかかる。前後の分割ホース部分２２ｆ，２２ｒの分割端が更に相対接近すると、操作ピン６２ａがカム板７９によって相対的に押し上げられることで前側のホース支持部材６２が下方付勢力に抗して上方揺動され、これによって蓋体７７は大きく上方に開放揺動され、前側の接続ブーツ６３が開放された後側の接続ブーツ６８に接合される。
【００６０】
なお、前側のホース支持部材６２と後側のホース支持部材６７とが接近すると、前側のホース支持部材６２における下面の左右方向中間部位に設けられた突起８０が、後側のホース支持部材６７の上面に設けられた左右一対のリブ８１の間に係入されて、両ホース支持部材６２，６７の左右方向での位置決めがなされるようになっている。
【００６１】
本発明は以下のような形態で実施することもできる。
【００６２】
（１）上記実施例では苗植付け装置３の折込み作動に連動して前側のホース支持部材６２のみを前方に退避移動させるようにしているが、ホース分割位置によっては、後側のホース支持部材６７のみ、あるいは、前後のホース支持部材６２，６７を共に退避移動させるようにするもよい。
【００６３】
（２）本発明は、１０条植え仕様に限らず、８条以上の多条植え仕様の田植機に好適に適用することができる。
【００６４】
（３）施肥装置としては、ポンプで圧送されるペースト状の肥料を供給ホースを介して施肥ノズルに送り込むものであってもよい。
【図面の簡単な説明】
【００６５】
【図１】施肥装置付き田植機の全体側面図
【図２】苗植付け装置の側面図
【図３】苗のせ台を省略した苗植付け装置の平面図
【図４】苗植付け装置の駆動系を示す平面図
【図５】折込み途中の苗植付け装置の要部を示す平面図
【図６】格納姿勢に折り込まれた苗植付け装置の平面図
【図７】苗植付け装置が作業姿勢にある田植機全体の概略平面図
【図８】苗植付け装置が折込み途中にある田植機全体の概略平面図
【図９】苗植付け装置が格納姿勢にある田植機全体の概略平面図
【図１０】苗植付け装置の中央付近を機体前方から見た正面図
【図１１】分割状態にある苗植付け装置の中央付近を機体前方から見た正面図
【図１２】格納用ロック構造を示す側面図
【図１３】格納用ロック構造を示す平面図
【図１４】格納用ロック構造を示す正面図
【図１５】作業姿勢用のロック構造を示す側面図
【図１６】供給ホース分割部位の側面図
【図１７】供給ホース分割端の退避用操作構造を示す平面図
【図１８】供給ホース分割部位の接続状態を示す側面図
【図１９】供給ホース分割部位の分離状態を示す側面図
【図２０】供給ホース分割端の縦断面図
【図２１】供給ホース分割部位の分解斜視図
【符号の説明】
【００６６】
１                走行機体
３                苗植付け装置
１３              苗のせ台
２２              供給ホース
６２              ホース支持部材
６７              ホース支持部材
７７              蓋体
【図１】
2005176669.tif 000003
【図２】
2005176669.tif 000004
【図３】
2005176669.tif 000005
【図４】
2005176669.tif 000006
【図５】
2005176669.tif 000007
【図６】
2005176669.tif 000008
【図７】
2005176669.tif 000009
【図８】
2005176669.tif 000010
【図９】
2005176669.tif 000011
【図１０】
2005176669.tif 000012
【図１１】
2005176669.tif 000013
【図１２】
2005176669.tif 000014
【図１３】
2005176669.tif 000015
【図１４】
2005176669.tif 000016
【図１５】
2005176669.tif 000017
【図１６】
2005176669.tif 000018
【図１７】
2005176669.tif 000019
【図１８】
2005176669.tif 000020
【図１９】
2005176669.tif 000021
【図２０】
2005176669.tif 000022
【図２１】
2005176669.tif 000023